(57)【特許請求の範囲】
【請求項１】
液晶層と、
円形の開口及び前記開口を外部に連通させる連通口が形成された第１の電極部と、前記開口内に配された円形の主電極部、及び前記主電極部に接続されており、前記連通口内に配された引き出し電極部を含む第２の電極部とを有する第１の電極と、
前記第１の電極と前記液晶層を介して対向している第２の電極と、
前記第１の電極の少なくとも前記第２の電極部と、前記液晶層との間に配された高抵抗層と、
を備え、
前記高抵抗層は、前記主電極部の中心軸に対して回転対称となる形状を有し、前記高抵抗層の外周の全てが、前記第１の電極部が設けられた領域にまで至り、且つ、前記高抵抗層の外側に前記高抵抗層が設けられていない前記第１の電極部の領域が存在するように配されている、液晶レンズ。
【請求項２】
前記高抵抗層は、円形である、請求項１に記載の液晶レンズ。
【発明の詳細な説明】
【技術分野】
【０００１】
本発明は、液晶レンズに関する。
【背景技術】
【０００２】
従来、屈折率が可変な液晶レンズが提案されている。液晶レンズには、駆動電圧を低くしたいという要望がある。これに鑑み、例えば特許文献１では、電極と液晶層との間に透明絶縁層が配されており、さらに透明絶縁層の液晶層に面する側の表面の上に高抵抗層が配された液晶レンズが提案されている。特許文献１に記載のように、高抵抗層を設けることにより液晶レンズの駆動電圧を低下させることができる。
【先行技術文献】
【特許文献】
【０００３】
【特許文献１】特開２０１１−１７７４２号公報
【発明の概要】
【発明が解決しようとする課題】
【０００４】
近年、液晶レンズの波面収差を小さくしたいという要望が高まってきている。
【０００５】
本発明は、波面収差の小さい液晶レンズを提供することを主な目的とする。
【課題を解決するための手段】
【０００６】
本発明に係る液晶レンズは、液晶層と、第１の電極と、第２の電極と、高抵抗層とを備えている。第１の電極は、第１の電極部と、第２の電極部とを有する。第１の電極部には、円形の開口及び開口を外部に連通させる連通口が形成されている。第２の電極部は、開口内に配された円形の主電極部及び引き出し電極部を含む。引き出し電極部は、主電極部に接続されている。引き出し電極部は、連通口内に配されている。第２の電極は、第１の電極と液晶層を介して対向している。高抵抗層は、第１の電極の少なくとも第２の電極部と、液晶層との間に配されている。高抵抗層は、主電極部の中心軸に対して回転対象となる形状を有している。
【０００７】
なお、本発明において、「高抵抗層」とは、電気抵抗値が、表面抵抗で１×１０４Ω／□〜１×１０１４Ω／□の範囲内にある層のことをいう。
【０００８】
高抵抗層は、円形であることが好ましい。
【０００９】
高抵抗層は、第１の電極部が設けられた領域にまで至っていることが好ましい。
【発明の効果】
【００１０】
本発明によれば、波面収差の小さい液晶レンズを提供することができる。
【図面の簡単な説明】
【００１１】
【図１】本発明の一実施形態に係る液晶レンズの略図的断面図である。
【図２】本発明の一実施形態における第１の電極の略図的平面図である。
【発明を実施するための形態】
【００１２】
以下、本発明を実施した好ましい形態の一例について説明する。但し、下記の実施形態は、単なる例示である。本発明は、下記の実施形態に何ら限定されない。
【００１３】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１４】
図１は、本実施形態に係る液晶レンズ１の略図的断面図である。液晶レンズ１は、液晶分子を含む液晶層１１を備えている。液晶層１１は、第１及び第２の電極２１，２２により挟持されている。第１及び第２の電極２１，２２により、液晶層１１に電圧が印加され、これにより液晶レンズ１の光学的パワーが変化する。
【００１５】
より具体的には、液晶レンズ１は、相互に間隔をおいて対向するように配された第１の基板３１と第２の基板３２とを有する。第１の基板３１と第２の基板３２との間には、隔壁部材３４が配されている。この隔壁部材３４と第１及び第２の基板３１，３２とにより区画形成された空間に液晶層１１が設けられている。なお、液晶層１１は、ガラス板などによって複数の液晶層に区画されていてもよい。
【００１６】
第１の基板３１、第２の基板３２及び隔壁部材３４は、それぞれ、例えば、ガラスなどにより構成することができる。第１の基板３１及び第２の基板３２の厚みは、例えば、０．１ｍｍ〜１．０ｍｍ程度とすることができる。隔壁部材３４の厚みは、得ようとする光学的パワーにより決定される液晶層１１の厚みや、液晶層１１に要求される応答速度等に応じて適宜設定することができる。隔壁部材３４の厚みは、例えば、１０μｍ〜８０μｍ程度とすることができる。
【００１７】
第１の基板３１の液晶層１１側の表面３１ａの上には、第１の電極２１が配されている。一方、第２の基板３２の液晶層１１側の表面３２ａの上には、第２の電極２２が配されている。第２の電極２２は、液晶層１１を介して第１の電極２１と対向している。
【００１８】
第１及び第２の電極２１，２２は、例えば、インジウムスズ酸化物（ＩＴＯ）等の透明導電性酸化物により構成することができる。
【００１９】
第１の電極２１は、円形の開口２１ａ１と、円形の開口２１ａ１を外部に連通させる連通口２１ａ２（図２を参照）とを有する第１の電極部２１ａと、第１の電極部２１ａの開口２１ａ１の内部に配された円形の主電極部２１ｂ１と、主電極部２１ｂ１に接続されており、前記連通口２１ａ２内に配された引き出し電極部２１ｂ２とを含む第２の電極部２１ｂとを有する。液晶レンズ１では、液晶層１１の主電極部２１ｂ１が設けられた領域に位置する部分が、レンズとして機能する。第１の電極部２１ａと第２の電極部２１ｂとは、互いに絶縁されている。第１の電極部２１ａと第２の電極部２１ｂとの間の隙間は、中空となっていてもよいし、絶縁体または後述する高抵抗層４１が配されて中実となっていてもよい。
【００２０】
なお、第１の電極２１は、液晶層１１が設けられた領域の全体に配されていてもよいし、液晶層１１が設けられた領域の一部に配されていてもよい。同様に、第２の電極２２は、液晶層１１が設けられた領域の全体に配されていてもよいし、液晶層１１が設けられた領域の一部に配されていてもよい。
【００２１】
液晶レンズ１では、第１の電極部２１ａと第２の電極２２との間に電圧Ｖ１が印加され、第２の電極部２１ｂと第２の電極２２との間に電圧Ｖ２が印加される。電圧Ｖ１と電圧Ｖ２との大きさを変化させることによって、液晶レンズ１の光学的パワーを変化させるこ
とができる。通常、第２の電極２２は、電位が０Ｖであるグラウンド電極とされている。このため、本実施形態では、第１及び第２の電極２１，２２のうち、印加される電圧の絶対値の最大値が大きい方の電極は、第１の電極２１となる。
【００２２】
第１の電極２１の少なくとも第２の電極部２１ｂと液晶層１１との間には、電気抵抗値が、表面抵抗で１×１０４Ω／□〜１×１０１４Ω／□であり、電極よりも高い高抵抗層４１が配されている。高抵抗層４１は、例えば、液晶層１１が設けられた領域の全体に配されていてもよいし、液晶層１１が設けられた領域の一部に配されていてもよい。高抵抗層４１は、例えば、第１の電極２１のうちの第２の電極部２１ｂの少なくとも一部のみの上に配されていてもよいし、第２の電極部２１ｂに加えて、第１の電極部２１ａの少なくとも一部の上にも配されていてもよい。
【００２３】
高抵抗層４１は、酸化亜鉛、アルミニウム亜鉛酸化物、インジウムスズ酸化物、アンチモンスズ酸化物、ガリウム亜鉛酸化物、シリコン亜鉛酸化物、スズ亜鉛酸化物、ホウ素亜鉛酸化物、及びゲルマニウム亜鉛酸化物のうちの少なくとも一種を含むことが好ましい。
【００２４】
なお、高抵抗層４１は、単一の高抵抗層により構成されていてもよいし、複数の高抵抗層の積層体により構成されていてもよい。高抵抗層４１が、複数の高抵抗層の積層体により構成されている場合は、複数の高抵抗層は、相互に同じ材料からなるものであってもよいし、相互に異なる材料からなるものであってもよい。
【００２５】
高抵抗層４１の厚みは、例えば、１０ｎｍ〜３００ｎｍであることが好ましい。
【００２６】
なお、図示は省略するが、高抵抗層４１と液晶層１１との間には、無機誘電体層が配されていることが好ましい。また、無機誘電体層と、第２の電極２２が設けられた部分を含め、第２の基板３２の表面３２ａとの上には、それぞれ配向膜が配されている。これらの配向膜により液晶層１１に含まれる液晶分子の配向が行われている。
【００２７】
高抵抗層４１は、第１の電極２１のうちの第２の電極部２１ｂの少なくとも一部の上に配されている。高抵抗層４１は、第２の電極部２１ｂの主電極部２１ｂ１の中心軸に対して回転対象となる形状を有している。このため、液晶レンズ１の波面収差を小さくできる。この理由としては、定かではないが、以下の理由が考えられる。即ち、第１の電極２１のうちの第２の電極部２１ｂの少なくとも一部の上に高抵抗層４１を配することで、液晶層１１の高抵抗層４１が形成された領域内と、その領域の外側の領域とで電荷のかかり方に差が生じる。液晶層１１の高抵抗層４１が位置する領域の内側に電気力線が引き寄せられる。高抵抗層４１の形状を、第２の電極部２１ｂの主電極部２１ｂ１の中心軸に対して回転対象とすることで、液晶層１１の高抵抗層４１が位置する領域の内側に均等に電気力線を引き寄せることができるためと考えられる。
【００２８】
なお、高抵抗層４１の中心軸は、第２の電極部２１ｂの主電極部２１ｂ１の中心軸と一致していることが好ましいが、液晶分子のプレチルト角の影響等により、光軸ずれが生じる場合は、高抵抗層４１の中心軸と第２の電極部２１ｂ主電極部２１ｂ１の中心軸はずれていてもよい。
【００２９】
また、高抵抗層４１の形状としては、第２の電極部２１ｂの主電極部２１ｂ１の中心軸に対して回転対象となる形状を有するものであれば良い。高抵抗層４１は、例えば、多角形、円形等であってもよい。なかでも、液晶レンズ１の波面収差をより小さくする観点から、高抵抗層４１は円形であることが好ましい。
【００３０】
また、液晶レンズ１のジオプトリを高める観点からは、高抵抗層４１は、第１電極部２
１ａまで至っていることが好ましい。このようにすることで、第１の電極部２１ａ及び第２の電極部２１ｂ間に電力勾配が生じやすくなり、液晶層１１の高抵抗層４１が位置する部分の中心に向かって電気力線がより集中しやすい。従って、液晶レンズ１のジオプトリを高めることができる。
【００３１】
また、液晶層１１は、例えばガラス板などにより、厚み方向に沿って複数に分割されていてもよい。
【００３２】
本発明に係る液晶レンズは、液晶層並びに第１及び第２の電極の組を複数有していてもよい。
【符号の説明】
【００３３】
１…液晶レンズ
１１…液晶層
２１…第１の電極
２１ａ１…開口
２１ａ２…連通口
２１ａ…第１の電極部
２１ｂ１…主電極部
２１ｂ…第２の電極部
２１ｂ２…引き出し電極部
２２…第２の電極
３１…第１の基板
３１ａ…表面
３２…第２の基板
３２ａ…表面
３４…隔壁部材
４１…高抵抗層
【図１】
0005969231.tif 000002
【図２】
0005969231.tif 000003